(57)【特許請求の範囲】
【請求項１】
無線ＬＡＮ端末に接続するローカル側無線ＩＦ部と、ネットワーク側に接続するＩＦ部との間で中継処理を行う通常モードで動作中に、無線ＬＡＮ端末との間の無通信時間が一定期間続くときに省電力モードに移行し、省電力モードで動作中に無線ＬＡＮ端末からアクセスがあったときに通常モードに移行する制御を行う制御手段を備えた無線中継装置において、
前記制御手段は、前記無通信時間が前記一定期間より短く、前記通常モードで動作中に前記無線ＬＡＮ端末から定期的なアクセスにより前記省電力モードに移行できないときに、当該アクセスを無効にして前記省電力モードに移行する構成である
ことを特徴とする無線中継装置。
【請求項２】
無線ＬＡＮ端末に接続するローカル側無線ＩＦ部と、ネットワーク側に接続するＩＦ部との間で中継処理を行う通常モードで動作中に、無線ＬＡＮ端末との間の無通信時間が一定期間続くときに省電力モードに移行し、省電力モードで動作中に無線ＬＡＮ端末からアクセスがあったときに通常モードに移行する制御を行う制御手段を備えた無線中継装置において、
前記制御手段は、前記無通信時間が前記一定期間より長く、前記省電力モードで動作中に前記無線ＬＡＮ端末から定期的なアクセスにより前記通常モードに移行するときに、所定数または所定期間のアクセスを無効にして前記省電力モードを維持する構成である
ことを特徴とする無線中継装置。
【請求項３】
請求項１または請求項２に記載の無線中継装置において、
前記制御手段は、前記無線ＬＡＮ端末からのアクセスのインターバル時間を記録し、各アクセスが前回以前のインターバル時間と比較して前記定期的なアクセスであるか否かを判断する構成である
ことを特徴とする無線中継装置。
【請求項４】
請求項２に記載の無線中継装置において、
前記制御手段は、前記無線ＬＡＮ端末からのアクセスのインターバル時間を記録し、各アクセスが前回以前のインターバル時間と比較して前記定期的なアクセスと判断したときに、前記アクセスを無効とする前記所定期間として、前記省電力モードになってから少なくとも前記インターバル時間を設定する構成である
ことを特徴とする無線中継装置。
【請求項５】
無線ＬＡＮ端末に接続するローカル側無線ＩＦ部と、ネットワーク側に接続するＩＦ部との間で中継処理を行う通常モードで動作中に、無線ＬＡＮ端末との間の無通信時間が一定期間続くときに省電力モードに移行し、省電力モードで動作中に無線ＬＡＮ端末からアクセスがあったときに通常モードに移行する制御を行う制御手段を備えた無線中継装置の無線中継方法において、
前記制御手段は、前記無通信時間が前記一定期間より短く、前記通常モードで動作中に前記無線ＬＡＮ端末から定期的なアクセスにより前記省電力モードに移行できないときに、当該アクセスを無効にして前記省電力モードに移行する
ことを特徴とする無線中継方法。
【請求項６】
無線ＬＡＮ端末に接続するローカル側無線ＩＦ部と、ネットワーク側に接続するＩＦ部との間で中継処理を行う通常モードで動作中に、無線ＬＡＮ端末との間の無通信時間が一定期間続くときに省電力モードに移行し、省電力モードで動作中に無線ＬＡＮ端末からアクセスがあったときに通常モードに移行する制御を行う制御手段を備えた無線中継装置の無線中継方法において、
前記制御手段は、前記無通信時間が前記一定期間より長く、前記省電力モードで動作中に前記無線ＬＡＮ端末から定期的なアクセスにより前記通常モードに移行するときに、所定数または所定期間のアクセスを無効にして前記省電力モードを維持する
ことを特徴とする無線中継方法。
【請求項７】
請求項５または請求項６に記載の無線中継方法において、
前記制御手段は、前記無線ＬＡＮ端末からのアクセスのインターバル時間を記録し、各アクセスが前回以前のインターバル時間と比較して前記定期的なアクセスであるか否かを判断する
ことを特徴とする無線中継方法。
【請求項８】
請求項６に記載の無線中継方法において、
前記制御手段は、前記無線ＬＡＮ端末からのアクセスのインターバル時間を記録し、各アクセスが前回以前のインターバル時間と比較して前記定期的なアクセスと判断したときに、前記アクセスを無効とする前記所定期間として、前記省電力モードになってから少なくとも前記インターバル時間を設定する
ことを特徴とする無線中継方法。
【発明の詳細な説明】
【技術分野】
【０００１】
本発明は、ローカル側の無線ＬＡＮ端末と、ネットワーク側の無線ＬＡＮまたは移動通信網との間で中継処理を行う無線中継装置および無線中継方法に関する。ここで、ネットワーク側の移動通信網は、例えば第３世代、第3.5 世代、第3.9 世代の携帯電話網であり、その規格としては、例えばＨＳＰＡ（High speed packet access) 、ＷＣＤＭＡ（Wide band code division multiple access)、ＥＤＧＥ（Enhanced data rates for GSM evolution)、ＬＴＥ（Long Term Evolution ）などである。
【背景技術】
【０００２】
ＨＳＰＡ等の移動通信網と無線ＬＡＮを比較した場合、一般的に移動通信網はカバーエリアが広いが通信速度は遅く、無線ＬＡＮはカバーエリアが狭いが通信速度は速いという特徴がある。そこで、移動通信網と無線ＬＡＮのそれぞれの特徴を活かすために、移動通信網と無線ＬＡＮにそれぞれ接続できる無線ＩＦを備え、通常は無線ＬＡＮ端末を移動通信網に接続しながら、無線ＬＡＮとの接続が可能な状況になれば無線ＬＡＮに切り替える無線中継装置がある（特許文献１）。
【０００３】
図７は、従来の無線中継装置の構成例を示す。
図７において、無線中継装置は、無線ＬＡＮのアクセスポイントに接続するネットワーク側無線ＬＡＮ−ＩＦ部１１および移動通信網の基地局に接続する移動通信網−ＩＦ部１２と、無線ＬＡＮ端末に接続するローカル側無線ＬＡＮ−ＩＦ部１３と、ネットワーク側の無線ＬＡＮまたは移動通信網とローカル側無線ＬＡＮ−ＩＦ部１３に接続される無線ＬＡＮ端末との間の中継処理を行う制御部１４と、ローカル側無線ＬＡＮ−ＩＦ部１３に接続される無線ＬＡＮ端末からのアクセス（接続要求またはデータ送信）を検出するアクセス検出部１５とを備える。
【０００４】
制御部１４は、ローカル側無線ＬＡＮ−ＩＦ部１３、アクセス検出部１５を介して無線ＬＡＮ端末からのアクセスを検出すると、ネットワーク側の接続先として、無線ＬＡＮに接続するネットワーク側無線ＬＡＮ−ＩＦ部１１または移動通信網に接続する移動通信網−ＩＦ部１２の一方を選択して中継処理を行う。さらに、制御部１４は、無線ＬＡＮ端末から帰属解除（例えばDisassociationメッセージ) が通知された場合に無線ＬＡＮ端末の離脱を認識し、通常モードから省電力モードに移行する処理を行う。あるいは、制御部１４は、無線ＬＡＮ端末との無通信時間が一定期間続けば、通常モードから省電力モードに移行する処理を行う。
【０００５】
ここで、省電力モードとは、無線ＬＡＮ端末からのアクセスを検出するためのローカル側無線ＬＡＮ−ＩＦ部１３およびアクセス検出部１５を除く各機能部をスリープ状態にして省電力化するものである。また、ローカル側無線ＬＡＮ−ＩＦ部１３およびアクセス検出部１５についても、省電力モード中にアクティブ状態とスリープ状態を周期的に繰り返す間欠動作させてもよい。省電力モードで動作中に、無線ＬＡＮ端末からのアクセスを検出すると、ただちに通常モード（アクティブ状態）に戻り、無線ＬＡＮ端末とネットワーク側の無線ＬＡＮまたは移動通信網との間の中継処理を行う。
【０００６】
図８は、従来のモード移行処理手順および動作例を示す。
図８(1) において、制御部１４は、通常モードＡで動作中に（Ｓ０）、無線ＬＡＮ端末とネットワークとの間で中継するトラフィックがないこと（無通信状態）を検出すると（Ｓ１）、無通信タイマを起動し（Ｓ２）、無通信タイマがタイムアウトするまでに無線ＬＡＮ端末からアクセスがあるか否かを監視する（Ｓ３，Ｓ４）。ここで、無通信タイマがタイムアウトする前にアクセスがあれば通常モードＡに戻り（Ｓ０）、アクセス検出前に無通信タイマがタイムアウトすれば省電力モードＳに移行する（Ｓ５）。なお、無線ＬＡＮ端末から帰属解除が通知された場合には、直ちに通常モードＡから省電力モードＳに移行する（Ｓ０→Ｓ５）。
【０００７】
次に、省電力モードＳで動作中に（Ｓ５）、無線ＬＡＮ端末からアクセスがあるか否かを監視し（Ｓ６）、無線ＬＡＮ端末からアクセスがなければ省電力モードＳを継続し（Ｓ５）、無線ＬＡＮ端末からアクセスがあれば通常モードＡに移行する（Ｓ０）。
【０００８】
これにより、図８(2) に示すように、通常モードＡの無線中継装置は、無線ＬＡＮ端末と無通信状態になってから無通信タイマのタイムアウト後に省電力モードＳに入り、無線ＬＡＮ端末からアクセス（図は接続要求の例）があれば通常モードＡに戻ることができる。
【先行技術文献】
【特許文献】
【０００９】
【特許文献１】特開２０１０−０２１８７８号公報
【発明の概要】
【発明が解決しようとする課題】
【００１０】
ところで、無線ＬＡＮ端末が定期的にネットワークに対してアクセスを試みるような利用形態、例えばメールの着信確認のために無線中継装置に定期的に接続要求を行う場合に、無線ＬＡＮ端末の無通信時間と無通信タイマ値（無通信タイマのタイムアウト時間）との大小関係に応じて次のような課題がある。
【００１１】
図９は、「無通信時間＜無通信タイマ値」で、無線中継装置の無通信タイマがタイムアウトする前に定期的なアクセスがある場合である。この場合には、無線中継装置は通常モードＡから省電力モードＳに入ることができず、省電力効果が得られなかった。
【００１２】
図１０は、「無通信時間＞無通信タイマ値」で、無線中継装置の無通信タイマがタイムアウトして省電力モードＳに入るものの、その直後に定期的なアクセスがある場合である。この場合には、無線中継装置が省電力モードＳに入っても、すぐに無線ＬＡＮ端末からアクセスがあれば通常モードＡに復帰し、十分な省電力効果が得られなかった。
【００１３】
本発明は、無線ＬＡＮ端末が定期的に無線中継装置にアクセスを行う利用形態に対して、無線中継装置で確実な省電力効果を得るための通常モードと省電力モードとの間のモード移行処理を可能にする無線中継装置および無線中継方法を提供することを目的とする。
【課題を解決するための手段】
【００１４】
第１の発明は、無線ＬＡＮ端末に接続するローカル側無線ＩＦ部と、ネットワーク側に接続するＩＦ部との間で中継処理を行う通常モードで動作中に、無線ＬＡＮ端末との間の無通信時間が一定期間続くときに省電力モードに移行し、省電力モードで動作中に無線ＬＡＮ端末からアクセスがあったときに通常モードに移行する制御を行う制御手段を備えた無線中継装置において、制御手段は、無通信時間が一定期間より短く、通常モードで動作中に無線ＬＡＮ端末から定期的なアクセスにより省電力モードに移行できないときに、当該アクセスを無効にして省電力モードに移行する構成である。
【００１５】
第２の発明は、無線ＬＡＮ端末に接続するローカル側無線ＩＦ部と、ネットワーク側に接続するＩＦ部との間で中継処理を行う通常モードで動作中に、無線ＬＡＮ端末との間の無通信時間が一定期間続くときに省電力モードに移行し、省電力モードで動作中に無線ＬＡＮ端末からアクセスがあったときに通常モードに移行する制御を行う制御手段を備えた無線中継装置において、制御手段は、無通信時間が一定期間より長く、省電力モードで動作中に無線ＬＡＮ端末から定期的なアクセスにより通常モードに移行するときに、所定数または所定期間のアクセスを無効にして省電力モードを維持する構成である。
【００１６】
第１または第２の発明の無線中継装置において、制御手段は、無線ＬＡＮ端末からのアクセスのインターバル時間を記録し、各アクセスが前回以前のインターバル時間と比較して定期的なアクセスであるか否かを判断する構成である。
【００１７】
第２の発明の無線中継装置において、制御手段は、無線ＬＡＮ端末からのアクセスのインターバル時間を記録し、各アクセスが前回以前のインターバル時間と比較して定期的なアクセスと判断したときに、アクセスを無効とする所定期間として、省電力モードになってから少なくともインターバル時間を設定する構成である。
【００１８】
第３の発明は、無線ＬＡＮ端末に接続するローカル側無線ＩＦ部と、ネットワーク側に接続するＩＦ部との間で中継処理を行う通常モードで動作中に、無線ＬＡＮ端末との間の無通信時間が一定期間続くときに省電力モードに移行し、省電力モードで動作中に無線ＬＡＮ端末からアクセスがあったときに通常モードに移行する制御を行う制御手段を備えた無線中継装置の無線中継方法において、制御手段は、無通信時間が一定期間より短く、通常モードで動作中に無線ＬＡＮ端末から定期的なアクセスにより省電力モードに移行できないときに、当該アクセスを無効にして省電力モードに移行する。
【００１９】
第４の発明は、無線ＬＡＮ端末に接続するローカル側無線ＩＦ部と、ネットワーク側に接続するＩＦ部との間で中継処理を行う通常モードで動作中に、無線ＬＡＮ端末との間の無通信時間が一定期間続くときに省電力モードに移行し、省電力モードで動作中に無線ＬＡＮ端末からアクセスがあったときに通常モードに移行する制御を行う制御手段を備えた無線中継装置の無線中継方法において、制御手段は、無通信時間が一定期間より長く、省電力モードで動作中に無線ＬＡＮ端末から定期的なアクセスにより通常モードに移行するときに、所定数または所定期間のアクセスを無効にして省電力モードを維持する。
【００２０】
第３または第４の発明の無線中継方法において、制御手段は、無線ＬＡＮ端末からのアクセスのインターバル時間を記録し、各アクセスが前回以前のインターバル時間と比較して定期的なアクセスであるか否かを判断する。
【００２１】
第４の発明の無線中継方法において、制御手段は、無線ＬＡＮ端末からのアクセスのインターバル時間を記録し、各アクセスが前回以前のインターバル時間と比較して定期的なアクセスと判断したときに、アクセスを無効とする所定期間として、省電力モードになってから少なくともインターバル時間を設定する。
【発明の効果】
【００２２】
第１の発明および第３の発明は、無線ＬＡＮ端末から定期的なアクセスがあって通常モードから省電力モードに移行できないときに、当該アクセスを無効にして省電力モードに移行させることにより、省電力効果を得ることができる。
【００２３】
第２の発明および第４の発明は、無線ＬＡＮ端末から定期的なアクセスがあって省電力モードに移行してもすぐに通常モードに復帰するときに、所定数または所定期間のアクセスを無効にして省電力モードを維持することにより、省電力効果を高めることができる。
【図面の簡単な説明】
【００２４】
【図１】本発明の無線中継装置の実施例を示す図である。
【図２】本発明による通常モードＡから省電力モードＳへの移行処理手順例を示すフローチャートである。
【図３】本発明による通常モードＡから省電力モードＳへの移行動作例を示すタイムチャートである。
【図４】本発明による省電力モードＳから通常モードＡへの移行処理手順例を示すフローチャートである。
【図５】本発明による省電力モードＳから通常モードＡへの移行動作例１を示すタイムチャートである。
【図６】本発明による省電力モードＳから通常モードＡへの移行動作例２を示すタイムチャートである。
【図７】従来の無線中継装置の構成例を示す図である。
【図８】従来のモード移行処理手順および動作例を示す図である。
【図９】従来のモード移行処理における課題１を説明する図である。
【図１０】従来のモード移行処理における課題２を説明する図である。
【発明を実施するための形態】
【００２５】
図１は、本発明の無線中継装置の実施例を示す。
図１において、無線中継装置を構成するネットワーク側無線ＬＡＮ−ＩＦ部１１、移動通信網−ＩＦ部１２、ローカル側無線ＬＡＮ−ＩＦ部１３、アクセス検出部１５は、従来の無線中継装置と同様の機能を有する。
【００２６】
本実施例の無線中継装置の特徴は、制御部１４およびアクセス検出部１５との間に接続されるモード移行判定部１６において、制御部１４で無通信タイマを用いたトラフィック監視中に、無線ＬＡＮ端末からのアクセスを検出したときのタイミングや受信回数を記録し、通常モードから省電力モード、省電力モードから通常モードへの移行タイミングを制御する構成にある。
【００２７】
なお、本実施例は、ネットワーク側無線ＬＡＮ−ＩＦ部１１および移動通信網−ＩＦ部１２を備え、制御部１４でいずれか一方を選択する構成となっているが、ネットワーク側のインタフェース部は、ネットワーク側無線ＬＡＮ−ＩＦ部１１および移動通信網−ＩＦ部１２のいずれか一方であってもよい。例えば、ローカル側無線ＬＡＮ−ＩＦ部１３に接続される無線ＬＡＮ端末と、ネットワーク側無線ＬＡＮ−ＩＦ部１１に接続される公衆無線ＬＡＮとの間の中継処理を行う無線中継装置にも本発明の適用は可能である。
【００２８】
図２は、本発明による通常モードＡから省電力モードＳへの移行処理手順例を示す。ここでは、無線ＬＡＮ端末から定期的なアクセスがあり、図９で説明した「無通信時間＜無通信タイマ値」のため、無線中継装置が省電力モードＳに移行できない場合に対応する例を示す。
【００２９】
図２において、制御部１４は通常モードＡで動作中に（Ｓ０）、無線ＬＡＮ端末とネットワークとの間で中継するトラフィックがないこと（無通信状態）を検出すると（Ｓ１）、無通信タイマを起動し（Ｓ２）、無通信タイマがタイムアウトするまでに無線ＬＡＮ端末からアクセスがあるか否かを監視する（Ｓ３，Ｓ４）。アクセスを検出する前に無通信タイマがタイムアウトすれば、省電力モードＳに移行する（Ｓ５）。省電力モードＳで動作中に（Ｓ５）、無線ＬＡＮ端末からアクセスがあるか否かを監視し（Ｓ６）、無線ＬＡＮ端末からアクセスがなければ省電力モードＳ（Ｓ５）を継続し、無線ＬＡＮ端末からアクセスがあれば通常モードＡに移行する（Ｓ０）。
【００３０】
ここで、無通信タイマがタイムアウトする前に無線ＬＡＮ端末からアクセスがあれば（Ｓ３：Yes ）、前回のアクセスからのインターバル時間を記録し（Ｓ11）、記録されたインターバル時間と前回または過去数回のインターバル時間とを比較してそのアクセスが定期的なアクセスであるか否かを判断し（Ｓ12）、定期的なアクセスと判断できない場合は（Ｓ12：No）、無通信タイマをリセットして通常モードＡを継続する（Ｓ０）。
【００３１】
一方、無線ＬＡＮ端末からのアクセスが定期的なものと判断すると（Ｓ12：Yes ）、そのアクセスを無効として無通信タイマがタイムアウトするのを待ち（Ｓ13）、省電力モードＳに移行する（Ｓ５）。これにより、無通信タイマがタイムアウトする前のアクセスが定期的なものであれば、そのアクセスを無効として無通信タイマをタイムアウトさせ、通常モードＡから省電力モードＳへ移行させることができる。
【００３２】
なお、無通信タイマがタイムアウトする前の定期的なアクセスの回数をカウントし、それが規定回数に達する前はそのアクセスを有効として通常モードＡを維持し、規定回数に達したときにそのアクセスを無効として省電力モードＳへ移行させるようにしてもよい。
【００３３】
以上の説明は、「無通信時間＜無通信タイマ値」としたものであるが、「無通信時間＞無通信タイマ値」であれば、図８と同様に、アクセスを検出する前に無通信タイマがタイムアウトするので、省電力モードＳに移行する（Ｓ４，Ｓ５）。
【００３４】
図３は、本発明による通常モードＡから省電力モードＳへの移行動作例を示す。
図３において、「無通信時間＜無通信タイマ値」の場合、無線中継装置の無通信タイマがタイムアウトする前に無線ＬＡＮ端末からのアクセスを検出するが、それが定期的なアクセスであると判断すると、そのアクセスを無効とし、無通信タイマをタイムアウトさせて省電力モードＳへ移行させる。省電力モードＳ中は、無線ＬＡＮ端端末からのアクセスによって通常モードＡに移行する。次の通常モードＡでも同様に、定期的なアクセスであれば、そのアクセスを無効とし、無通信タイマをタイムアウトさせて省電力モードＳへ移行する。
【００３５】
図４は、本発明による省電力モードＳから通常モードＡへの移行処理手順例を示す。ここでは、図１０で説明した「無通信時間＞無通信タイマ値」のため無線中継装置が省電力モードＳに移行するが、無線ＬＡＮ端末から定期的なアクセスがあり、すぐに通常モードＡに復帰する場合に対応する例を示す。
【００３６】
図４において、スキップカウンタＣ＝０とし（Ｓ21）、通常モードＡ（Ｓ０）から移行して省電力モードＳで動作中とする（Ｓ５）。ここでは、図８に示すステップＳ１〜Ｓ４の処理を省略している。省電力モードＳで動作中に無線ＬＡＮ端末からアクセスがあるか否かを監視し（Ｓ６）、無線ＬＡＮ端末からアクセスがなければ省電力モードＳを継続する（Ｓ５）。一方、無線ＬＡＮ端末からアクセスがあれば、前回のアクセスからのインターバル時間を記録し（Ｓ22）、記録されたインターバル時間からそのアクセスが定期的なアクセスであるか否かを判断し（Ｓ23）、定期的なアクセスと判断できない場合は（Ｓ23：No）、スキップカウンタＣをリセットし（Ｓ21）、通常モードＡに移行する（Ｓ０）。
【００３７】
通常モードＡでは（Ｓ０）、無通信状態を監視し、無通信時間が無通信タイマ値を超えた時に、省電力モードＳに移行する（Ｓ５）。省電力モードＳでは無線ＬＡＮ端末からのアクセスを検出し（Ｓ６）、前回または過去数回のインターバル時間と比較してそれが定期的なものと判断すると（Ｓ23：Yes ）、それがＭ回に達するまでスキップカウンタＣをインクリメントし（Ｓ24、Ｓ25）、省電力モードＳを繰り返す（Ｓ５）。また、定期的なアクセスがＭ回に達すれば、スキップカウンタＣをリセットし（Ｓ21）、通常モードＡに移行する（Ｓ０）。
【００３８】
図５は、本発明による省電力モードＳから通常モードＡへの移行動作例１を示す。
図５において、「無通信時間＞無通信タイマ値」の場合、無線中継装置が省電力モードＳに移行するが、すぐにアクセスがあって通常モードＡに復帰する状況において、定期的なアクセスがスキップカウンタＣの上限値Ｍ（ここではＣ＝２）に達するまで、アクセスを無効として省電力モードＳを継続することができる。この省電力モードＳを優先する制御は、定期的なアクセスが例えばメールの着信確認のために行われる接続要求の場合に、毎回必ずネットワークとの接続を行わなくも実質的に支障がないようなときに有効である。
【００３９】
なお、Ｍはあらかじめ設定した値でもよいが、スキップカウンタＣが上限値Ｍに達する度に増加するように制御してもよい。このようにすれば、定期的なアクセスが継続している間の省電力効果が向上する。たとえば、図４のステップＳ25で「Yes 」と判定されたときに、Ｍ＝Ｍ＋Ｄ（Ｄは正の整数）との処理、またはＭ＝Ｍ＊Ｋ（Ｋは正の整数）との処理を追加すればよい。
【００４０】
また、図４のステップＳ23において、アクセスのインターバル時間を用いて定期的なアクセスであるか否かを判断しているが、無線中継装置が省電力モードＳに入った後に、そのインターバル時間またはその整数倍の時間が経過するまでは、無線ＬＡＮ端末からのアクセスを無効として省電力モードＳを継続する制御であってもよい。この場合の省電力モードＳから通常モードＡへの移行動作例２を図６に示す。図６に示す例は、１インターバル時間相当をアクセス無効期間としているが、これは、図４および図５におけるスキップカウンタＣの上限値Ｍが２の場合で、最初のアクセスを無効とする処理と等価な処理となる。
【符号の説明】
【００４１】
１１  無線ＬＡＮ−ＩＦ部
１２  移動通信網−ＩＦ部
１３  ローカル側無線ＬＡＮ−ＩＦ部
１４  制御部
１５  アクセス検出部
１６  モード移行判定部
【図１】
0005411212.tif 000002
【図２】
0005411212.tif 000003
【図３】
0005411212.tif 000004
【図４】
0005411212.tif 000005
【図５】
0005411212.tif 000006
【図６】
0005411212.tif 000007
【図７】
0005411212.tif 000008
【図８】
0005411212.tif 000009
【図９】
0005411212.tif 000010
【図１０】
0005411212.tif 000011